(57)【要約】【課題】装置外部への妨害電波の放出を抑制すること。【解決手段】被加熱物を収納する加熱室と、加熱室に収納された被加熱物を加熱する高周波発生装置と、高周波発生装置に電源を供給する高周波電源と、高周波電源を取り付ける底板５と、全体を覆うカバー４を備え、底板５のフランジに、単数または複数のツメ５ａとその近傍に穴５ｂとを設け、カバー４に、底板５の単数または複数の穴５ｂに対応したツメ４ａを、底板５の穴５ｂに嵌合させることにより、底板５のツメ５ａを確実にカバー４に接触させ、電気的導通を確実にとる構成とする。これによって、カバー４内部で高周波電源などから発生した妨害電波が、高周波加熱装置外部へ放出されることを抑制することができる。【選択図】図２
2011163723.tif 000002
【特許請求の範囲】
【請求項１】
被加熱物を収納する加熱室と、前記加熱室に収納された被加熱物を加熱する高周波発生装置と、前記高周波発生装置に電源を供給する高周波電源と、前記高周波電源を取り付ける底板と、全体を覆うカバーを備え、
前記底板フランジに単数または複数のツメとその近傍に穴を設け、前記カバーに前記底板フランジに設けた単数または複数の穴に対応したツメを設け前記底板の穴に嵌合させることにより、前記底板フランジのツメと前記カバーを確実に接触させる構成とした高周波加熱装置。
【発明の詳細な説明】
【技術分野】
【０００１】
本発明は、食品を加熱する高周波加熱装置において、妨害電波の放出を抑制することに関するものである。
【背景技術】
【０００２】
従来、この種の高周波加熱装置は、底板のフランジをカバーが覆っているだけの構造であり、電気的な導通は不確実な面接触に頼っている。
【０００３】
図３は、従来の高周波加熱装置を示す分解斜視図、図４は、図３のＡ部矢視拡大斜視図である。同図において、加熱室１に高周波を供給する高周波発生装置２と、この高周波発生装置２に電源を供給する高周波電源３と、この高周波電源３を取り付ける底板５を備えている。これら全体を、カバー４が覆っている。このカバー４は、前方にスライドされ、前面部分は、加熱室１からなるフランジ１ａに、クリップ状の部分により嵌合されている。また、後方部分は、１ｂにビス止めされる。
【０００４】
そして、図４において、図３Ａ部を矢視拡大しカバー４が、取り付けられた状態を示している。
【先行技術文献】
【特許文献】
【０００５】
【特許文献１】特開昭６２−１０２０３５号公報
【発明の概要】
【発明が解決しようとする課題】
【０００６】
しかしながら、前記従来の構成では、高周波電源などで発生した妨害電波が、カバーと底板の電気的接触が確実に確保されていないため、筐体外部に放出してしまうという課題を有していた。
【０００７】
本発明は、前記従来の課題を解決するもので、カバー内部で発生した妨害電波の放出を抑制した高周波加熱装置を提供することを目的とする。
【課題を解決するための手段】
【０００８】
前記従来の課題を解決するために、本発明の高周波加熱装置は、被加熱物を収納する加熱室と、前記加熱室に収納された被加熱物を加熱する高周波発生装置と、前記高周波発生装置に電源を供給する高周波電源と、前記高周波電源を取り付ける底板と、全体を覆うカバーを備え、前記底板フランジに単数または複数のツメとその近傍に穴を設け、前記カバーに前記底板フランジに設けた単数または複数の穴に対応したツメを前記底板の穴に嵌合させることにより、前記底板のツメを確実に前記カバーに接触させ電気的導通を確実にとる構成とする。これによって、カバー内部で高周波電源などから発生した妨害電波が、高周波加熱装置外部へ放出されることを抑制することができる。
【発明の効果】
【０００９】
本発明の高周波加熱装置は、底板フランジにツメと穴を設け、カバーに設けたツメを底板の穴に嵌合させることにより、底板とカバーの確実な電気的導通を確保し、カバー内部で発生した妨害電波が外部へ放出されることを抑制することができる。
【００１０】
また、底板は高周波加熱装置全体を支える十分な強度を確保するためある程度の板厚が
必要となる。このため底板フランジのツメに十分な弾性を与えることがでず、カバーのたわみ等で接触が不確実となることを底板フランジのツメ近傍の穴にカバーのツメを嵌合させることにより、底板フランジのツメを確実にカバーに接触させることができる。また、既存の部品からツメを構成することにより、ビスなどの追加部品を必要としない安価な高周波加熱装置を提供することができる。また、カバーにビス穴などを開ける必要がないため、意匠的に優れた高周波加熱装置を提供することができる。
【図面の簡単な説明】
【００１１】
【図１】本発明の実施の形態１における高周波加熱装置の分解斜視図
【図２】図１のＡ部矢視拡大斜視図
【図３】従来の高周波加熱装置の分解斜視図
【図４】図３のＡ部矢視拡大斜視図
【発明を実施するための形態】
【００１２】
第１の発明は、被加熱物を収納する加熱室と、前記加熱室に収納された被加熱物を加熱する高周波発生装置と、前記高周波発生装置に電源を供給する高周波電源と、前記高周波電源を取り付ける底板と、全体を覆うカバーを備え、前記底板フランジに単数または複数のツメとその近傍に穴を設け、前記カバーに前記底板フランジに設けた単数または複数の穴に対応したツメを前記底板の穴に嵌合させることにより前記底板のツメを確実に前記カバーに接触させる構成とする。これによって、カバー内部で高周波電源などから発生した妨害電波のカバー外部への放出を抑制することができる。
【００１３】
以下、本発明の実施の形態について、図を参照しながら説明する。なお、この実施の形態によって本発明が限定されるものではない。
【００１４】
（実施の形態１）
図１は、本発明実施の形態における高周波加熱装置を示す分解斜視図、図２は、図１のＡ部拡大斜視図である。
【００１５】
図１において、１は被加熱物を収納する加熱室、２は加熱室１に収納された被加熱物を加熱する高周波発生装置である。３は高周波発生装置２に電源を供給する高周波電源、４は全体を覆うカバーであり、ツメ４ａが設けられている。このツメ４ａのピッチは、１ＧＨｚの１／４波長以下に設定されている。５は、高周波電源３を取り付ける底板である。カバー４は、前方にスライドされ、前面部分は加熱室１からなるフランジ１ａに、クリップ状の部分により嵌合され、後方部分は背面板１ｂにビス止めされる。
【００１６】
図２に、図１に示す装置において、カバー４が、装置の本体に取り付けられた状態を示している。底板５の左右辺フランジには、それぞれ５箇所のツメ５ａが設けられている。そして、底板５のフランジには、カバー４に設けられたツメ４ａが嵌合するよう穴５ｂが形成されている。
【００１７】
以上のように、カバー４に設けられたツメ４ａが、底板５の穴５ｂに嵌合することにより、底板５のフランジとカバー４との間に、５箇所の確実な電気的導通を得ることができる。しかも、ツメ４ａのピッチを１ＧＨｚの１／４波長以下に設定することにより、カバー４内部で高周波電源などから発生した、１ＧＨｚ以下の妨害電波が、カバー４外部へ、放出されることを抑制することができる。
【産業上の利用可能性】
【００１８】
以上のように、本発明にかかる高周波加熱装置は、底板とカバーの確実な電気的導通を
確保し、カバー内部で発生した妨害電波が外部へ放出されることを抑制することが可能となるので、家庭用、産業用等の用途に適用できる。
【符号の説明】
【００１９】
４  カバー
４ａ  ツメ
５  底板
５ａ  ツメ
５ｂ  穴
【図１】
2011163723.tif 000003
【図２】
2011163723.tif 000004
【図３】
2011163723.tif 000005
【図４】
2011163723.tif 000006